(57)【特許請求の範囲】
【請求項１】
建物の被固定面に取り付けられる取付部と、この取付部の前方に配設され、軒樋の両側壁の内耳形態の樋耳を支持する樋耳保持部を有する軒樋支持腕とを備えている軒樋吊具において、
前記取付部と屋内側樋耳保持部との間に、軒樋支持腕の下面から一体に垂下片が下方に垂設され、この垂下片および前記取付部の下端にそれぞれ係止部が形成され、この両係止部に、軒樋の屋内側側壁と建物の被固定面との間の隙間を覆い隠すカバー材の両側に設けられた被係止部が係止されるようにされていることを特徴とする軒樋吊具。
【請求項２】
垂下片の垂設長さが、係止部にカバー材の被係止部を係止させた際、軒樋の底部外面とカバー材の下面とがほぼ面一となるように設定されている請求項１記載の軒樋吊具。
【請求項３】
請求項１記載の軒樋吊具の取付部が建造物の被固定面に取り付けられ、この取付部の前方に配設された軒樋支持腕にて軒樋が支持される軒樋の支持構造であって、
前記取付部と屋内側樋耳保持部との間において、軒樋支持腕の下面から一体に垂下片が下方に垂設され、この垂下片および前記取付部の下端にそれぞれ係止部が形成され、この両係止部に、軒樋の屋内側側壁と建物の被固定面との間の隙間を覆い隠すカバー材の両側に設けられた被係止部が係止されていることを特徴とする軒樋の支持構造。
【請求項４】
カバー材が断面逆Ｔ字形状の中空状体である請求項３記載の軒樋の支持構造。
【請求項５】
カバー材の幅が両係止部間の外面間の間隔よりも少し幅広とされている請求項３または４記載の軒樋の支持構造。
【発明の詳細な説明】
【０００１】
【発明の属する技術分野】
本発明は、建物の軒先に軒樋を取り付ける軒樋吊具およびこの軒樋吊具を使用した軒樋の支持構造に関する。
【０００２】
【従来の技術】
従来、軒樋吊具には各種のものがあるが、これらの共通する点は、建物の被固定面に取り付けられる取付部と、この取付部の前面に突設された軒樋支持腕とを備えた軒樋吊具の取付部を建物の軒先に釘にて取り付け、軒樋支持腕の樋耳保持部に軒樋の両耳部を支持させて使用するものである。
【０００３】
ところで、建物の屋根の態様、たとえば屋根を葺く瓦の厚みによって、軒樋の屋内側外面と鼻隠し板との隙間（つまり、軒樋の軒先からの出寸法）を変える必要がある（たとえば登録第７９１３７０の類似５号意匠公報を参照）。また、鼻隠し板の勾配に対応させて、軒樋支持具の取付勾配をかえる必要もある（たとえば登録第７９１３７０の類似４号意匠公報を参照）。
【０００４】
特に、鼻隠し板が地表面に対して垂直でなく傾斜しており、しかも、軒先からの出寸法をかなり幅広く取らなくてはならない場合は、軒樋の屋内側外面と鼻隠し板との隙間はさらに大きくなってくる（たとえば登録第７９１３７０の類似３号意匠公報を参照）。
しかしながら、軒樋と軒先との間から軒樋吊具の一部が見え、軒先の外観意匠性が低下する。
【０００５】
このような軒先の外観意匠性を改善する軒樋の支持構造として、たとえば実開平５−４０４５０号公報に記載されたものが知られている。具体的には、図２５に示すように、軒先前面１ａに固定される樋支持具２ａに軒樋３ａを吊下保持せしめてなる軒樋支持装置において、軒樋３ａの後側の耳部４ａを係合保持する略コ字状の耳保持部５ａを樋支持具２ａの後部に設け、この耳保持部５ａの下端内側縁より耳ガイド片６ａを垂設し、この耳ガイド片６ａの下端に係止部７ａを設けてこの係止部７ａに、軒先前面１ａと軒樋３ａとの間隔をその下方において閉塞する断面略Ｔ字形状のカバー材８ａを係止取着したものである。
【０００６】
また、実開平４−８６８３０号公報においては、壁面に沿って適宜な金具により軒樋を取付け、この軒樋と壁面間に長尺のカバー板を配設し、このカバー板により軒樋と壁面間の空隙部を隠蔽した軒樋取付部の構造が記載されている。
【０００７】
【発明が解決しようとする課題】
しかしながら、上記実開平５−４０４５０号公報に記載の軒樋支持装置においては、軒樋後側の耳部４ａが後壁部１１ａより外方に突出した外耳形態の場合は適用可能であるが、耳部４ａが後壁部１１ａより内方に突出した内耳形態の場合は適用することができないという問題があった。
【０００８】
また、カバー材８ａはその縦片部１９ａ上端の係止凸部２０ａが係止部７ａに係止されるだけであるため、係止安定性に欠けるという問題もあった。
【０００９】
一方、上記実開平４−８６８３０号公報に記載の軒樋取付部の構造においては、主として、カバー板の軒樋側の上端を軒樋の屋内側上端の耳部に係合係止させなければならず、金具に軒樋を取付けた後では、カバー板の配設はできないという問題があった。また、カバー板は片持ち支持であるため、上記と同様に係止安定性に欠けるという問題もあった。
【００１０】
本発明の目的は、カバー材の取り付けを軒樋の取付順序に関係なく行え、しかも、軒樋を建物の軒先に見栄えよく取り付けることができる軒樋吊具を提供することである。
【００１１】
また、本発明の目的は、取付施工後の軒先の見栄えが良好で、かつ、カバー材の取付安定性に優れた軒樋の支持構造を提供することである。
【００１２】
【課題を解決するための手段】
請求項１記載の発明は、建物の被固定面に取り付けられる取付部と、この取付部の前方に配設され、軒樋の両側壁の内耳形態の樋耳を支持する樋耳保持部を有する軒樋支持腕とを備えている軒樋吊具において、前記取付部と屋内側樋耳保持部との間に、軒樋支持腕の下面から一体に垂下片が下方に垂設され、この垂下片および前記取付部の下端にそれぞれ係止部が形成され、この両係止部に、軒樋の屋内側側壁と建物の被固定面との間の隙間を覆い隠すカバー材の両側に設けられた被係止部が係止されるようにされているものである。
【００１３】
請求項２記載の発明は、請求項１記載の軒樋吊具において、垂下片の垂設長さが、係止部にカバー材の被係止部を係止させた際、軒樋の底部外面とカバー材の下面とがほぼ面一となるように設定されているものである。
【００１４】
請求項３記載の発明は、請求項１記載の軒樋吊具の取付部が建造物の被固定面に取り付けられ、この取付部の前方に配設された軒樋支持腕にて軒樋が支持される軒樋の支持構造であって、前記取付部と屋内側樋耳保持部との間において、軒樋支持腕の下面から一体に垂下片が下方に垂設され、この垂下片および前記取付部の下端にそれぞれ係止部が形成され、この両係止部に、軒樋の屋内側側壁と建物の被固定面との間の隙間を覆い隠すカバー材の両側に設けられた被係止部が係止されているものである。
【００１５】
請求項４記載の発明は、請求項３記載の軒樋の支持構造において、カバー材が断面逆Ｔ字形状の中空状体であるものである。
【００１６】
請求項５記載の発明は、請求項３または４記載の軒樋の支持構造において、カバー材の幅が両係止部間の外面間の間隔よりも少し幅広とされているものである。
【００１７】
本発明における建物の被固定面は、鼻隠し板、破風板、垂木などである。
【００１８】
本発明における軒樋吊具の材質は、硬質塩化ビニル樹脂、ポリカーボネート樹脂、ＡＥＳ樹脂などの合成樹脂、ＦＲＰなどが使用できる。また、ステンレスなどの金属材料であってもよい。軒樋吊具の形状は適用される軒樋の形状に応じて決めればよく、また、両端部の樋耳保持部の形状も、同様に適用される軒樋の耳部の形状に応じて決めればよい。
【００１９】
本発明におけるカバ−材とは、軒樋の屋内側側壁と建物の被固定面との間の隙間を覆い隠すものであり、軒先の外観を見栄えよくするものである。カバ−材の被係止部の形状は、取付部と屋内側樋耳保持部との間において、軒樋支持腕の下面から垂下片が下方に垂設され、この垂下片と前記取付部との間に形成された係止部の形状に対応させて決めればよい。
カバ−材の形態は中空構造を有するものであっても、中実構造を有するものであってもよい。
【００２０】
（作用）請求項１または２記載の軒樋吊具においては、取付部と屋内側樋耳保持部との間において、軒樋支持腕の下面から一体に垂下片が下方に垂設され、この垂下片および前記取付部の下端にそれぞれ係止部が形成され、この両係止部に、軒樋の屋内側側壁と建物の被固定面との間の隙間を覆い隠すカバー材の両側に設けられた被係止部が係止されるようにされているので、軒樋の屋内側側壁と建物の被固定面との間の隙間を覆い隠すことができ、しかも、カバー材を安定性よく取り付けることができる。
【００２１】
請求項２記載の発明は、請求項１記載の軒樋吊具において、垂下片の垂設長さが、係止部にカバー材の被係止部を係止させた際、軒樋の底部外面とカバー材の下面とがほぼ面一となるように設定されているので、軒先の外観の見栄えがより向上する。
【００２２】
請求項３ないし５記載の発明は、請求項１記載の軒樋吊具の取付部が建造物の被固定面に取り付けられ、この取付部の前方に配設された軒樋支持腕にて軒樋が支持される軒樋の支持構造であって、前記取付部と屋内側樋耳保持部との間において、軒樋支持腕の下面から一体に垂下片が下方に垂設され、この垂下片および前記取付部の下端にそれぞれ係止部が形成され、この両係止部に、軒樋の屋内側側壁と建物の被固定面との間の隙間を覆い隠すカバー材の両側に設けられた被係止部が係止されているので、軒樋の屋内側側壁と建物の被固定面との間の隙間を覆い隠すことができる。また、カバー材を安定性よく取り付けることができる。
【００２３】
請求項４記載の発明は、請求項３記載の軒樋の支持構造において、カバー材が断面逆Ｔ字形状の中空状体であるので、被係止部または係止部に寸法のバラツキがあっても、中空状体の部分的な弾性変形により、カバー材の係止部を被係止部に係止して取り付けることができる。
【００２４】
請求項５記載の発明は、請求項３または４記載の軒樋の支持構造において、カバー材の幅が両係止部間の外面間の間隔よりも少し幅広とされているので、被係止部と係止部との係止形態や接続位置に関係なく、隣接するカバー材同士を、カバー材の外面形状に符合した内面形状を有する接続部材にて接続することができる。
【００２５】
【発明の実施の形態】
以下、本発明の実施の形態を図面に基づいて説明する。
まず、本発明の軒樋吊具について説明する。図１〜図５は本発明の軒樋吊具の第１実施例を示すものであり、図１は正面図、図２は平面図、図３は底面図、図４は左側面図、図５は右側面図である。
【００２６】
図１において、Ａはポリカーボネート樹脂製の内吊りタイプの軒樋吊具であり、この軒樋吊具Ａは取付部１と軒樋支持腕２とから主要部が構成されている。取付部１は長方形の板状体であり、屋内側に向かって斜め下方に傾斜して形成されており、取付部１と軒樋支持腕２とのなす角度は鈍角とされている。取付部１の外周縁には４個の通孔１１が設けられ、また、取付部１の後面には窪み１２、１３、１３が形成されている。図８に示すように、窪み１２の深さは浅く（取付部１の厚みの１割程度）され、一方、窪み１３の深さは深く（取付部１の厚みの４割程度）形成されている。
【００２７】
軒樋支持腕２は、図６に示すように、断面形状がＩ字形状のものであり、取付部１の前面中央の上部位置から屋外側に一体に突設されている。軒樋支持腕２の先端には上方に屈曲片２１が形成され、図９に示す軒樋６の屋外側耳部６１を支持する屋外側耳保持部とされている。なお、軒樋支持腕２の先端側下方には幅狭の舌片２４が一体に形成されている。この舌片２４は軒樋６の屋外側耳部６１の下方内面に存在する中空状補強リブに当接して、屈曲片２１からの屋外側耳部６１の脱落を防止する機能を有するものである。
【００２８】
一方、軒樋支持腕２の屋内側の下部には係止片２２が屋内方向にやや斜め上方に一体に突設されている。この係止片２２の幅は、図３に示すように、先端側において徐々に幅狭となっている。係止片２２は軒樋６の屋内側耳部６２を支持する屋内側耳保持部に対応するものである。軒樋支持腕２の屋外側部分には半円弧状の窪み２３が形成されている。
【００２９】
３は板状の垂下片であり、取付部１と係止片２２との間において、軒樋支持腕２の下面から一体に下方に垂設されている。垂下片３の幅は軒樋支持腕２の幅と同一とされている。垂下片３のほぼ下半部は取付部１側に屈曲され、取付部１とほぼ平行とされている。この垂下片３の上半部は補強用の縦リブ４により取付部１の前面と連結されている。
【００３０】
垂下片３および取付部１の下端には係止部である係止爪３１、１４が互いに内向きに形成されている。垂下片３の上半部の前面側には幅狭の押圧片３２、３３が突設されている。この押圧片３２、３３はともに軒樋５の屋内側耳部５２の脱落を防止する機能を有するものである。垂下片３の垂設長さは、係止爪３１、１４に後述のカバー材の被係止部を係止させた際、軒樋６の底部外面とカバー材の下面とがほぼ面一となるようにされている。
【００３１】
５は硬質塩化ビニル樹脂製の長尺のカバ−材であり、軒樋６の屋内側側壁と建物の鼻隠し板との間の隙間を覆い隠すためのものである。図１０に示すように、カバ−材５は断面逆Ｔ字形状の中空構造を有しており、その内部は上下内面を連結する垂直リブ５１により、長手方向に沿って２室に仕切られている。カバ−材５の上部両側には断面直角三角形状の被係止部５２、５２が外方に張り出して形成されている。カバー材５の下部幅は上記垂下片３および取付部１の下端に形成された係止爪３１、１４間の外法、つまり両係止爪３１、１４間の外面間の間隔よりも幅広とされている。
【００３２】
つぎに、図９に基づいて上記軒樋吊具Ａを用いて軒樋を支持する支持構造（請求項３以下に記載の本発明の軒樋の支持構造に対応する）について説明する。
【００３３】
まず、４個の通孔１１を利用して、釘（図示せず）にて取付部１を傾斜した鼻隠し板７の前面に取り付ける。この作業を繰り返して、鼻隠し板７の前面にその長手方向に沿って、所定間隔をあけて複数の軒樋吊具Ａを取り付ける。そして、各軒樋吊具Ａの垂下片３および取付部１の下端に形成された係止爪３１、１４にカバ−材５の被係止部５２、５２を押し込んで係止させることによりカバー材５を装着する。
【００３４】
複数のカバー材５を装着した後、図１１に示すように、隣接するカバー材５、５同士の端部に跨がって接続部材８を装着し、カバー材５同士を接続する。この接続部材８はカバー材５の外面形状に符合した内面形状を有し、その両側にはカバー材５の下部両側に係合する係止部８１、８１を有している。つぎに、軒樋６の屋外側耳部６１を軒樋支持腕２先端の屈曲片２１に係止させ、軒樋６を屋内側に回動させて軒樋６の屋内側耳部６２を係止片２２に係止させることにより、軒樋吊具Ａに軒樋６を取り付けることにより配設施工を完了する。
【００３５】
なお、上記軒樋の配設施工の手順としては、カバー材５の取り付けと軒樋６の取り付けを逆にしてもよい。すなわち、鼻隠し板７の前面に複数の軒樋吊具Ａを取り付けた後、軒樋吊具Ａの屈曲片２１および係止片２２に軒樋６の耳部６１、６２を係止し、つぎに、係止爪３１、１４にカバ−材５の被係止部５２、５２を係止してカバー材５を装着するようにしてもよい。
【００３６】
上記実施例においては、垂下片３および取付部１の下端に係止爪３１、１４が形成され、これに対応してカバ−材５の両側に被係止部５２、５２が形成されているので、カバ−材５を安定性よく装着できる。また、カバ−材５は中空構造を有しており、その内部は垂直リブ５１により補強されているので、係止爪３１、１４と被係止部５２、５２に寸法のバラツキがあっても、カバ−材５の部分的な弾性変形を利用してカバ−材５を装着できる。そして、軒樋６の配設施工後、カバー材５の下面が軒樋６の底部外面とほぼ面一となっているので、軒先の美観に優れている。
【００３７】
さらに、カバー材５の下部幅が係止爪３１、１４間の外面間の間隔よりも幅広であるので、カバー材５の取り付けを先に行うか、あるいは軒樋６の取り付けを先に行うかを状況に応じて選択できる。また、接続部材８によるカバー材５、５同士の接続は、カバー材５端部の位置がどこにあるかに関係なく、きわめて容易に行える。
【００３８】
つぎに、本発明の軒樋吊具の第２実施例について説明する。
図１２に示すように、垂下片３および取付部１の下端に、係止部である係止爪３１ａ、１４ａを互いに外向きに形成されている以外は、上記第１実施例と全く同一であるので、同一部分には同一符号を付して説明を省略する。
【００３９】
カバ−材５ａは、図１３に示すように、水平板部５１ａの両側が垂直に屈曲され、その先端に内向きの被係止部５２ａ、５２ａが形成されている断面形状がＣ字状の長尺状のものである。水平板部５１ａの幅は上記垂下片３および取付部１の下端に形成された係止爪３１ａ、１４ａ間の外面間の間隔よりも幅広とされている。
【００４０】
つぎに、図１３に基づいて上記軒樋吊具Ａ１を用いて軒樋を支持する支持構造について説明する。まず、上記第１実施例と同様に、鼻隠し板７の前面に取付部１を釘（図示せず）にて取り付け、鼻隠し板７の前面に所定間隔をあけて複数の軒樋吊具Ａ１を取り付ける。そして、各軒樋吊具Ａ１の垂下片３および取付部１の下端に形成された係止爪３１ａ、１４ａにカバ−材５ａの被係止部５２ａ、５２ａを押し込んで係止させることによりカバー材５ａを装着する。
【００４１】
カバー材５ａを装着後、上記実施例と同様に隣接するカバー材５ａ、５ａ同士の端部に跨がって接続部材（図示せず）を装着する。この接続部材はカバー材５ａの外面形状に符合した内面形状を有し、その両側にカバー材５ａの両側に係合する係止部を有するものであればよい。つぎに、軒樋６の耳部６１、６２をそれぞれ軒樋支持腕２の屈曲片２１、係止片２２に係止させて軒樋６の配設施工を完了する。なお、この場合も、カバー材５ａの取り付けと軒樋６の取り付けを逆にしてもよい。
【００４２】
つぎに、本発明の軒樋吊具の第３実施例について説明する。図１４に示すように、垂下片３全体を垂直に形成させ、補強用の縦リブ４を係止爪３１、１４の近傍まで延設させるとともに、この縦リブ４の下面を上向きの曲面状とさせ、かつ、軒樋支持腕２の屋外側部分に逆台形状の窪み２３が形成されている以外は、上記第１実施例とほぼ同一であるので、同一部分には同一符号を付して説明を省略する。
【００４３】
カバ−材５ａはその上面４３を、図１５に示すように、幅方向の中央部が高くなるように曲面状に形成させた以外は、上記第１実施例の軒樋吊具Ａに適用したカバ−材とほぼ同一であるので、同一部分には同一符号を付して説明を省略する。なお、カバ−材５ｂは図１７（イ）に示すように、中空構造のものに代えて、たとえば発泡させた塩化ビニル樹脂製の中実構造のものとしてもよい。また、図１７（ロ）に示すように、中空構造のカバ−材５ｃの場合、被係止部５２ａの下方に存在する溝５４、５４内に軟質塩化ビニル樹脂製の吸音層５５、５５を形成してもよい。
【００４４】
つぎに、図１６に基づいて上記軒樋吊具Ａ２を用いて軒樋を支持する支持構造について説明する。上記第１実施例と同様に、鼻隠し板７の前面に取付部１を釘（図示せず）にて取り付け、鼻隠し板７の前面に所定間隔をあけて複数の軒樋吊具Ａ２を取り付ける。
そして、各軒樋吊具Ａ２の垂下片３および取付部１の下端に形成された係止爪３１、１４にカバ−材５ａの被係止部５２、５２を押し込んで係止させることによりカバー材５ａを装着する。
【００４５】
カバー材５ａを装着後、隣接するカバー材５ａ、５ａ同士の端部に跨がって、図１１に示す接続部材８と同一のものを装着する。そして、軒樋６の耳部６１、６２をそれぞれ軒樋支持腕２の屈曲片２１、係止片２２に係止させて軒樋６の配設施工を完了する。なお、この場合も、カバー材５ａの取り付けと軒樋６の取り付けを逆にしてもよい。
【００４６】
上記第３実施例においては、カバ−材５ａの上面５３が幅方向の中央から両側に向かって下向きに傾斜しているので、軒先側に回り込んだ雨水がカバ−材５ａの上面５３に溜まらず、雨漏りを防止できる。
【００４７】
また、図１７（ロ）に示すカバ−材５ｃを使用した場合、軒樋吊具Ａ２の係止爪３１、１４とカバ−材５ａの被係止部５２、５２の間に寸法のバラツキによる隙間が存在し、この隙間に起因して、特に強風の際に発生する音鳴りを防止できる。なお、この音鳴り防止効果は、図１７（イ）に示す発泡樹脂製のカバ−材５ｂにおいても得ることができる。
【００４８】
以上、本発明の実施例を図面に基づいて説明してきたが、具体的な構成はこの実施例の限られるものではなく本発明の要旨を逸脱しない範囲の設計変更等があっても本発明に含まれる。たとえば、上記実施例では取付部１の後面に肉盗み用の窪み１２、１３を形成したが、この窪みはなくてもよい。また、軒樋吊具は透明であっても、着色剤にて適当な色に着色してもよい。通常は軒先に配設される軒樋とほぼ同一の色に着色するのが望ましい。
【００４９】
さらに、上記実施例では、傾斜した鼻隠し板に取り付けられる軒樋吊具を図示したが、地平面に対して垂直な鼻隠し板に取り付けられる軒樋吊具であってもよい。
【００５０】
【発明の効果】
請求項１または２記載の軒樋吊具においては、取付部と屋内側樋耳保持部との間において、軒樋支持腕の下面から一体に垂下片が下方に垂設され、この垂下片および前記取付部の下端にそれぞれ係止部が形成され、この両係止部に、軒樋の屋内側側壁と建物の被固定面との間の隙間を覆い隠すカバー材の両側に設けられた被係止部が係止されるようにされているので、軒樋の屋内側側壁と建物の被固定面との間の隙間を覆い隠すことができ、しかも、カバー材を安定性よく取り付けることができる。
【００５１】
請求項２記載の軒樋吊具においては、垂下片の垂設長さが、係止部にカバー材の被係止部を係止させた際、軒樋の底部外面とカバー材の下面とがほぼ面一となるように設定されているので、軒先の外観の見栄えがより向上する。
【００５２】
請求項３ないし５記載の軒樋の支持構造では、取付部と屋内側樋耳保持部との間において、軒樋支持部の下面から一体に垂設した垂下片および取付部の下端にそれぞれ係止部が形成され、この両係止部にカバー材の両側に設けられた被係止部が係止されているので、軒樋の屋内側側壁と建物の被固定面との間の隙間を覆い隠すことができる。また、カバー材を安定性よく取り付けることができる。
【００５３】
請求項４記載の軒樋の支持構造では、カバー材が断面逆Ｔ字形状の中空状体であるので、被係止部または係止部に寸法のバラツキがあっても、中空状体の部分的な弾性変形により、カバー材の係止部を被係止部に係止して取り付けることができる。
【００５４】
請求項５記載の軒樋の支持構造では、カバー材の幅が両係止部間の外面間の間隔よりも少し幅広とされているので、被係止部と係止部との係止形態や接続位置に関係なく、隣接するカバー材同士を、カバー材の外面形状に符合した内面形状を有する接続部材にて接続することができる。
【図面の簡単な説明】
【図１】 本発明の軒樋吊具の第１実施例を示す正面図である。
【図２】 図１の平面図である。
【図３】 図１の底面図である。
【図４】 図１の左側面図である。
【図５】 図１の右側面図である。
【図６】 図１のＸ−Ｘ切断端面図である。
【図７】 図１のＹ−Ｙ切断断面図である。
【図８】 図１のＺ−Ｚ切断断面図である。
【図９】 本発明の軒樋の支持構造の第１実施例を示す説明図である。
【図１０】 図１の軒樋吊具に適用されるカバー材の一例を示す拡大断面図である。
【図１１】 カバー材同士の端部を接続する状態を示す説明図である。
【図１２】 本発明の軒樋吊具の第２実施例を示す正面図である。
【図１３】 本発明の軒樋の支持構造の第２実施例を示す説明図である。
【図１４】 本発明の軒樋吊具の第３実施例を示す正面図である。
【図１５】 図１４の軒樋吊具に適用されるカバー材の一例を示す拡大断面図である。
【図１６】 本発明の軒樋の支持構造の第３実施例を示す要部説明図である。
【図１７】 カバー材の変形例を示す説明図である。
【図１８】 従来の軒樋の支持構造を示す説明図である。
【符号の説明】
Ａ、Ａ１〜Ａ５  軒樋吊具
１  取付部
１４  係止爪（係止部）
２  軒樋支持腕
２１  屈曲片（屋外側耳保持部）
２２  係止片（屋内側耳保持部）
３  垂下片
３１  係止爪（係止部）
４  縦リブ
５、５ａ〜５ｈ  カバー材
４２  被係止部
６  軒樋
６１  屋外側耳部
６２  屋内側耳部
７  鼻隠し板（被固定面）
８  接続部材
【図１】
0003884525.tif 000002
【図２】
0003884525.tif 000003
【図３】
0003884525.tif 000004
【図４】
0003884525.tif 000005
【図５】
0003884525.tif 000006
【図６】
0003884525.tif 000007
【図７】
0003884525.tif 000008
【図８】
0003884525.tif 000009
【図９】
0003884525.tif 000010
【図１０】
0003884525.tif 000011
【図１１】
0003884525.tif 000012
【図１２】
0003884525.tif 000013
【図１３】
0003884525.tif 000014
【図１４】
0003884525.tif 000015
【図１５】
0003884525.tif 000016
【図１６】
0003884525.tif 000017
【図１７】
0003884525.tif 000018
【図１８】
0003884525.tif 000019